(57)【特許請求の範囲】
【請求項１】
前身頃と後ろ身頃を有する寝衣であって、
前記後ろ身頃には、胸椎の棘突起に対応する位置の該後ろ身頃と、胸椎の棘突起と、が離間するように、胸椎の棘突起全体に対応する位置に凹部が設けられていることを特徴とする褥創予防・保護用の寝衣。
【請求項２】
前記凹部は、仰臥時に胸椎の棘突起を避けて該棘突起の両側の筋肉を支える左右一対の弾性体からなる凸部によって形成されることを特徴とする請求項１に記載の褥創予防・保護用の寝衣。
【請求項３】
前記後ろ身頃の丈が腰上までであることを特徴とする請求項１に記載の褥創予防・保護用の寝衣。
【請求項４】
前記後ろ身頃の下側に、前記凸部以外の前記後ろ身頃の厚みに比べ薄くなっている端部が設けられていることを特徴とする請求項２に記載の褥創予防・保護用の寝衣。
【請求項５】
前記前身頃の肩部に比べ、前記前身頃の胸部が薄くなっていることを特徴とする請求項１に記載の褥創予防・保護用の寝衣。
【請求項６】
前記前身頃は左右分離して後ろ身頃の左右それぞれの肩位置から延在する舌片形状であることを特徴とする請求項１に記載の褥創予防・保護用の寝衣。
【請求項７】
着衣時の寝衣の下方側部と下方前部と脇位置の下方部に一対の紐を設けることを特徴とする請求項６に記載の褥創予防・保護用の寝衣。
【請求項８】
各部の前記紐の意匠が異なることを特徴とする請求項６に記載の褥創予防・保護用の寝衣。
【請求項９】
前記弾性体は綿であることを特徴とする請求項２に記載の褥創予防・保護用の寝衣。
【発明の詳細な説明】
【技術分野】
【０００１】
本発明は、褥創予防・保護用の寝衣、詳しくは後ろ身頃に胸椎の棘突起を避ける凹部が設けられた褥創予防・保護用の寝衣に関する。
【背景技術】
【０００２】
老衰や病気などによって長期に亘り同じ仰臥姿勢で寝たきりになると、脊椎の敷布団側に突起している部分が褥瘡（いわゆる床ずれ。）になりやすい。褥瘡になる主な要因は体重で圧迫されている部位の血流が悪くなることにあるが、特に突起部には強い圧力が加わり、また、皮下組織や筋肉が少ないので褥瘡になりやすい。仙椎がある臀部には全体重の約４５％が掛かることもあって、更に仙椎部は尿や便の排泄物により細菌汚染を併発することもあって、仙椎部の褥瘡の症例が多い。このために、仙椎部の褥瘡に関する予防や保護の方法が多く考えられた。例えば、特許文献１には臀部の中央部を避けて臀部を受ける左右一対の弾性パッドが開示されている。これにより、仙椎部が敷き布団と当接しないので、仙椎は皮膚を圧迫せずに褥瘡の予防や保護となる。また、特許文献２と特許文献３には仙椎の突起部が当たらないように空部にしたパンツが開示されている。
【０００３】
また長期に亘り同じ仰臥姿勢で寝たきりになると、汗により身体背面に湿潤な空気が滞留して皮膚表面と肉芽組織が軟化し、皮膚の裂傷を招くことになる。そこで、特許文献４には後ろ見頃の中央部に複数の通気口を設けた着衣が開示されている。
【先行技術文献】
【特許文献】
【０００４】
【特許文献１】実用新案登録第３０９４１６９号公報
【特許文献２】特開平７−３０５２０２号公報
【特許文献３】特開２００３−１１１７８６号公報
【特許文献４】特開２０１４−１２５６８６号公報
【発明の概要】
【発明が解決しようとする課題】
【０００５】
脊椎は生理的湾曲によりＳ字形であり、仙椎だけでなく胸椎にも棘突起という突起部がある。仙椎部の褥瘡の症例が非常に多くて、また細菌汚染を併発しやすいことから、仙椎部の褥瘡についての予防・保護方法が上述のように多く考えられたが、胸椎の褥瘡の予防・保護方法ついては、注目されておらず、おざなりにされていた。ところが、胸椎の棘突起は姿勢が悪かったり老化したりすると大きく突出して褥瘡になりやすい。また、棘突起部は筋肉が少ないのであるが、寝たきりになって痩せたり（痩身化）筋肉を使わなかったり（廃用萎縮）するとますます筋肉が少なくなって皮膚への圧力が強くなり血行が悪くなる。そうなると、胸椎の棘突起部が長い仰臥姿勢で褥瘡になりやすい。そこで、胸椎部の褥瘡についても予防・保護方法が望まれる。また、褥瘡の発生状況を調査してみると、上半身においては胸椎部ほどではないが、胸椎の他に肩甲骨や肋骨でも褥瘡が生じていることが判明したため、肩甲骨や肋骨の褥瘡についても予防・保護方法が望まれる。尚、褥瘡にならなくても骨と皮膚が接近すると被介護人は仰臥姿勢で痛みを感じるので、この痛みをやわらげる必要もあった。
【０００６】
本発明は、主に胸椎の棘突起部にできる褥瘡を予防あるいは保護するために、その部位に掛かる圧力を低減すると共にその部位の通気性を良くする寝衣を提供することを目的とする。また、高い保温性も兼ねた寝衣を提供することを目的とする。
【課題を解決するための手段】
【０００７】
上記目的を達成するため、本発明の褥瘡予防・保護用の寝衣は、前身頃と後ろ身頃を有する寝衣であって、前記後ろ身頃には、胸椎の棘突起に対応する位置の該後ろ身頃と、胸椎の棘突起と、が離間するように、胸椎の棘突起全体に対応する位置に凹部が設けられていることを特徴とする。
【０００８】
凹部によって胸椎の棘突起が敷き布団と離間するので、胸椎の棘突起部の皮膚に係る圧力が低くなる。これにより皮膚の血行の悪化が低減されて褥創の予防・保護となる。そして、マットなどの寝床に設けられた褥創予防・保護手段とは異なり、身にまとう褥創予防・保護用の衣服であるので、寝返りなどによる凹部と胸椎の位置ずれが生じにくい。また、身にまとう褥瘡予防・保護用の衣服であることから、肩甲骨や肋骨における褥瘡の予防・保護にもなる。さらに、トイレなどにより床を離れるときや少し起き上がるとき、またオムツの交換の際などに体温が冷めにくい。
【０００９】
また、本発明の褥創予防・保護用の寝衣においては、前記凹部は、仰臥時に胸椎の棘突起を避けて該棘突起の両側の筋肉を支える左右一対の弾性体からなる凸部によって形成されることが好ましい。
【００１０】
薄地の後ろ身頃に追加される凸部によって胸椎の棘突起と敷き布団の間隔が広くなる。これにより胸椎の棘突起部の通気性がよくなって、身体背面に滞留する湿潤な空気による褥創の助長を低減することができる。また、胸椎の棘突起近傍の筋肉は胸椎の棘突起による皮膚への圧力を低減するので褥瘡の予防・保護となるが、寝たきりになると胸椎近傍の筋肉が衰えて薄くなって褥瘡の予防・保護の効果が少なくなる。これを弾性体の凸部で補うことができる。また、弾性体であるので、身体の形状に合わせて変形し身体に係る圧力を均一化できる。そして、寝心地が良い。
【００１１】
また、本発明の褥創予防・保護用の寝衣においては、後ろ身頃の丈が腰上までであることが好ましい。このように丈が短いので、寝衣がオムツに掛からずにケアがし易い
【００１２】
また、本発明の褥瘡予防・保護用の寝衣においては、前記後ろ身頃の下側に、前記凸部以外の前記後ろ身頃の厚みに比べ薄くなっている端部が設けられていることが好ましい。もし、寝衣がオムツと重なっても、重なった部分の厚みを薄くできる。また、介護人あるいはは被介護人が後ろ身頃の端を引っ張って寝衣を整えることがあるが、このときに介護人あるいは被介護人は後ろ身頃の端部を掴み易い。
【００１３】
また、本発明の褥創予防・保護用の寝衣においては、前記前身頃の肩部に比べ、前記前身頃の胸部が薄くなっていることが好ましい。掛け布団が被介護人の肩に掛からない場合でも、被介護人の肩を保温することができる。また、胸部は薄くなっているので、掛け布団がかかっている場合に、被介護者の胸と掛け布団との間に隙間ができ難く、掛け布団の保温性の低下を防止することができる。
【００１４】
また、本発明の褥瘡予防・保護用の寝衣においては、前記前身頃は左右分離して後ろ身頃の左右それぞれの肩位置から延在する舌片形状であることが好ましい。前身頃はこのような左右一対の舌片形状であるので、寝衣に首や腕を通す孔が無く、非介護人は起き上がることなく身体を横にするだけで着衣できる。また、腕の拘縮があっても、簡単に脱着できる。
【００１５】
また、本発明の褥創予防・保護用の寝衣においては、着衣時の寝衣の下方側部と下方前部と脇位置の下部に一対の紐を設けることが好ましい。被介護人の胸の中央部が冷えているときは、下方前部の一方の紐と脇位置の下部の紐を連結することによって、一対の前身頃をクロスして固定することができる。或は、下方前部の一方の紐と後ろ身頃の下方側部の他方の紐を連結することによっても、一対の前身頃をクロスして固定することができる。これらにより胸の中央部の保温性が高くなる。
【００１６】
また、本発明の褥創予防・保護用の寝衣においては、各部の紐の意匠が異なることが好ましい。紐の判別を容易にすることができて、紐を間違えて結ぶことを防止することができる。
【００１７】
また、本発明の褥創予防・保護用の寝衣においては、凸部の弾性体は綿であることが好ましい。綿であるので通気性が良くて、さらに身体背面に滞留する湿潤な空気による褥創の助長を低減することができる。また、綿であるので所望される高さの調整が容易である。また、仕立てが容易である。
【図面の簡単な説明】
【００１８】
【図１】第１実施形態の構成を示す褥創予防・保護用の寝衣を開いた展開図である。
【図２】図２Ａは図１の寝衣の紐を着衣の状態に結んだ平面図であり、図２Ｂは紐の他の結び方を示す平面図である。
【図３】第１実施形態の寝衣の写真画像である。
【図４】伯州綿とアップランド綿を比較する電子顕微鏡写真である。
【図５】脊椎の生理的湾曲で突起している胸椎と仙椎を示す側面図である。
【図６】図６Ａは着衣の凸部と胸椎部の位置関係を示す断面図であり、図６Ｂは前見頃の厚みと掛け布団の関係を示す部分断面図である。
【図７】第２実施形態の構成を示す褥創予防・保護用の寝衣を開いた展開図である。
【図８】図７の寝衣の紐を着衣の状態に結んだ平面図である。
【発明を実施するための形態】
【００１９】
以下、実施形態及び図面を参照にして本発明を実施するための形態を説明するが、以下に示す実施形態は、本発明をここに記載したものに限定することを意図するものではなく、本発明は特許請求の範囲に示した技術思想を逸脱することなく種々の変更を行ったものにも均しく適用し得るものである。なお、この明細書における説明のために用いられた各図面においては、各部材を図面上で認識可能な程度の大きさとするため、各部材毎に縮尺を異ならせて表示しており、必ずしも実際の寸法に比例して表示されているものではない。
［第１実施形態］
【００２０】
本発明の第１実施形態の褥創予防・保護用の寝衣１の構成を、図１〜図６を用いて説明する。寝衣１は後ろ身頃２と前身頃３からなる。図１に示すように、後ろ身頃２は略矩形の形状をしており、前見頃３は左右分離して後ろ見頃２の左右それぞれの肩位置から延在する長方形の舌片形状である。前見頃３はこのような左右一対の舌片形状であるので、寝衣１に首や腕を通す孔が無く、被介護人は起き上がることなく身体を横にするだけで着衣できる。また、腕の拘縮があっても簡単に脱着できる。
【００２１】
後ろ身頃２の丈はオムツに掛からないように腰上までと短くなっている。具体的には、後ろ身頃２の丈は、５０〜６０ｃｍ程度であればよい。このように丈が短いので、寝衣１がオムツとは直接に掛かりに難く、寝衣１はオムツの交換などの被介護者のケアがし易くなっている。
【００２２】
また、後ろ身頃２には表裏の布４の間に和綿５が入れられているが、後ろ身頃２の腰に近い下側には、和綿５が入れられていない表裏の布４だけからなる端部２３が設けられている。したがって、もし寝衣１がオムツと重なっても、端部２３とオムツとが重なり、和綿５とは重ならない構成となっている。このため、オムツと重なった部分が厚くなることはなく、着用者である被介護人にとって、寝衣１は着心地のよいものとなっている。また、介護人あるいは被介護人が後ろ身頃２の端部２３を引っ張って寝衣１を整えることがあるが、このときに介護人あるいは被介護人は後ろ身頃２の端部２３を掴み易い。
【００２３】
なお、寝衣１は、端部２３に和綿５が入っていない構成となっているが、端部２３にも和綿５が入っている構成であっても後ろ身頃２の厚みに比べ、端部２３が薄くなっている構成であればよい。また、寝衣１の表生地や裏生地を構成する布４は、やや伸縮性のある生地が好ましい。
【００２４】
被介護人が仰臥姿勢になったときに体重による圧力が背の皮膚に大きく掛かる部分として脊椎８の胸椎８１の棘突起８１ａ部分がある。この棘突起８１ａ部分を避けて、棘突起８１ａと横突起８１ｂの間に位置する筋肉９に対応する部分の和綿５の厚みは、図３、図６Ａに示すように、隣接する和綿５の厚みよりも厚くなっており、左右一対の長い凸部２１となっている。被介護人が仰臥姿勢で寝たときはこの左右一対の凸部２１が胸椎８１の棘突起８１ａの両側の筋肉９を支えることとなる。
【００２５】
なお、この凸部２１は平たい和綿５をロール状に堅く丸めて寝衣１に入れられている。そして、平たい和綿５の丸め具合を調整して凸部２１の堅さや弾力性が異なる様々な寝衣１を準備しておくことにより、被介護者の状態に適した寝衣１を用いることができる。
【００２６】
また、寝衣１は、後ろ身頃２に全体に１００〜１１０ｇ程度の和綿５を使用するとともに、更に凸部２１にはそれぞれ１０〜２０ｇ程度の和綿５を用いて縫合している。
【００２７】
左右一対の凸部２１によって、胸椎８１の棘突起８１ａ部の凹部２２が形成される。なお、この左右一対の凸部２１によって、形成される凹部２２の幅は、３〜４ｃｍ程度あればよい。そして、この凹部２２と凸部の厚みの差は、図６Ａの断面図で示せばＨ２−Ｈ１となり、この差の分、仰臥時に胸椎８１の棘突起８１ａと敷布団との間隔が増加する。
【００２８】
この凸部２１によって胸椎８１の棘突起８１ａが敷き布団と離間するので、胸椎８１の棘突起８１ａ部の皮膚に係る圧力が低くなる。これにより皮膚の血行の悪化が低減されて褥創の予防・保護となる。また、胸椎８１の棘突起８１ａと敷き布団の間隔が広くなるので、また、凸部２１の材質が通気性のある和綿５であるので胸椎８１の棘突起８１ａ部の通気性が良くなって、身体背面に滞留する湿潤な空気による褥創の助長を低減することができる。また、凸部２１の材質が弾性のある和綿５であるので身体の形状に合わせて変形し身体に係る圧力を均一化できる。そして、寝心地が良い。また、胸椎８１の棘突起８１ａ近傍の筋肉９は胸椎８１の棘突起８１ａによる皮膚への圧力を低減するので褥瘡の予防・保護となるが、寝たきりになると胸椎８１近傍の筋肉９が衰えて薄くなり褥瘡の予防・保護の効果が少なくなる。これを和綿５の凸部２１で補うことができる。
【００２９】
なお、和綿５を用いているが使用する綿としては、弾力性、保温性、通気性に優れたものが好ましく、種々の綿を用いることもできる。一方、寝衣１では鳥取県の弓浜半島で栽培されている和綿の一種である伯州綿を用いた。図４（ａ）には伯州綿の電子顕微鏡写真を、図４（ｂ）にはアップランド綿の電子顕微鏡写真を示している。この伯州綿は、生産量の多いアップランド綿に比べ、繊維の直径が大きく丸みをおびた形状であり弾性力に富むことから、寝衣１の中綿素材として弾力性に非常に優れ、且つ空気が多く入るので通気性が高くて保温性が良い。したがって、寝衣１に用いる和綿５として非常に適している。また、アップランド綿は通常シート状にすることが難しいが、和綿５は綿打ちによりシート状にし易いことからも、寝衣１の中綿素材として適している。
【００３０】
また、寝衣１はマットなどの寝床に設けられた褥創予防・保護手段とは異なり、身にまとう褥創予防・保護用の衣服であるので、寝返りなどによる凹部と胸椎の位置ずれが生じにくい。さらに、トイレなどにより床を離れるときや少し起き上がるとき、またオムツの交換のときなどに体温が冷めにくい。そして、身にまとう褥瘡予防・保護用の衣服であるため、胸椎だけでなく、今まで褥瘡の発生が見過ごされがちであった肩甲骨や肋骨での褥瘡も予防・保護することができる。
【００３１】
また、被介護人が寝る部屋は動き回る介護人に適した温度に調整されていることも多いので、掛け布団１０が掛からない被介護人の肩が冷えることがある。寝衣１は、前身頃３の肩部３１に和綿５が入れられている。このため、寝衣１は被介護人の肩を和綿５で保温することができる。なお、本実施形態の寝衣１では、肩部３１にそれぞれ１５ｇの和綿５が入れられている。
【００３２】
また、前身頃３全体に和綿５が入れられていると、掛け布団１０と被介護人の胸との間に隙間ができて掛け布団１０の保温性が低下することがある。しかしながら、寝衣１は、図６Ｂに示すように、前身頃３の上側に位置する肩部３１のみに和綿５が入れられており、前身頃３の下側に位置する胸部３２には和綿５が入れられていない構成となっている。このため、寝衣１は、掛け布団１０と被介護人の胸とが密着することになり保温性もよい。
【００３３】
また、掛け布団１０を被介護人の顔の近くまで掛けると、掛け布団１０が被介護人の口や鼻を塞いでしまうことが考えられる。しかしながら、寝衣１は、肩部３１に和綿５が入れられ、胸部３２に和綿５が入れられていない構成であるため、被介護人の顔の近くまで掛け布団１０を掛けなくても保温性が非常によいため、介護用として安心して使用することができる。
【００３４】
なお、寝衣１の前身頃３は、下半分の胸部３２に和綿５が入れられていない構成となっているが、肩部３１の厚さに比べ胸部３２が薄くなっている構成であればよいので、胸部３２にも和綿５が入っていても構わない。
【００３５】
また、被介護者の胸の位置を大体の基準として、前身頃３の肩部３１と胸部３２との境目を設定しておけばよい。なお、本実施形態の寝衣１では、肩部３１の長さが２２ｃｍとなっている。
【００３６】
図１、図２Ａに示すように、着衣する寝衣１の下方側部を結合する紐６１が後ろ身頃２と前見頃３に合計４本、下方前部を結合する紐６２が前見頃３のそれぞれの胸部３２に合計２本、脇が位置する脇位置の下部を結合する紐６３が後ろ身頃２と前見頃３に合計４本設けられている。脇位置の下部を結合する紐６３はその部分の結合を強くし、寝返りなどによる着衣のズレを生じ難くするためのものである。
【００３７】
また、夫々、長さや色などの意匠を変えて、紐の判別が容易になるようにしておくことで、被介護者や介護者にとって使用方法の理解しやすい寝衣１を提供することができる。例えば、同色同士の紐を結べば図２Ａの状態になるようにしておくことがで、被介護者や介護者にとって、寝衣１の使用方法を簡単に理解することできる。
【００３８】
また、図２Ｂに示すように、被介護人の胸の中央部が冷えているときは、下方前部の一方の紐６２と脇位置の下部の他方の紐６３を連結することによって、一対の前身頃をクロスして固定することができる。このとき、下方側部の紐６１は左右異なるもの同士を結ぶことができる。これにより胸の中央部の保温性が高くなる。寝衣１のこのような使用方法は、例えば、被介護者が布団から出て、胸に掛け布団１０が掛かっていない場合に適している。したがって、このような使用方法も可能な寝衣１は、介護用として非常に適したものである。尚、本発明の後ろ身頃２と前見頃３の結合手段は紐に限定するものではなく、例えば、マジックテープ（登録商標）などの結合手段を用いても良い。
【００３９】
また、図２Ｂ以外の使用方法として、一方の紐６２と後ろ身頃２の他方の紐６１を連結し、他方の紐６２と後ろ身頃の一方の紐６１を連結することによって、一対の前身頃をクロスして固定することもできる。なお、この時、脇位置の下部を結合する紐６３は、同じ側の前身頃と後ろ身頃の紐６３同士を連結しておくとよい。このような使用方法は、図２Ｂの使用方法に比べ、首回りが広くなり、ゆったりとした着心地となる。
【００４０】
寝衣１は、ステッチ（縫い目）により、和綿５が無い部分と和綿５がある部分の境界そして和綿５の高さが異なる境界が仕切られている。また、前見頃３の肩部３１の和綿５については、和綿５の移動防止のために、内側のみの布４（裏地）にステッチ７で和綿５が固定されている。発明者による検証により、ステッチ７があるとこの部分から多くの放熱が生じることがわかったので、表側の布４（表地）には和綿５を固定しておくステッチ７を無くした構成となっている。これによる寝衣１の表側にはステッチ７による凹凸が無いので、掛け布団１０側での放熱を少なくすることができる。なお、このよう寝衣１は、裏地に和綿５を縫い付けた後で、和綿５を覆うように表地と裏地を縫い合わせることにより作ることができる。また、和綿５が無い部分と和綿５がある部分の境界では和綿５をステッチに僅かに掛からせることよって和綿５の移動を防止している。
【００４１】
このような、寝衣１は、非常にコンパクトなものであるにも関わらず、保温性が非常に高いものとなっている。この点につて発明者は、寝衣１の他に市販されている一般的な衣服と、保温効果についての比較をおこなった。
【００４２】
具体的には、寝衣１と、ダウンベスト、フリース、（久留米）半纏を準備し、着用前と５分間着用した後の肩甲骨のあたりの体温についてサーモグラフィーを用いて測定した。その結果、ダウンベストを着用した場合の体温上昇が最も少なかった。フリースを着用した場合の体温上昇は最も大きかった。半纏を着用した場合の体温上昇は寝衣１とほぼ同等であった。一方で、ダウンベスト、フリース、半纏は、何れも寝るときに着用するには、大きすぎて不向きな形状といえる。以上のことから、寝衣１は、他の衣服と比較してコンパクトな形状であり、まさに寝るときに着用する被服として最適であり、十分な保温性も備えているものである。
【００４３】
なお、寝衣１は、後ろ身頃３に左右一対の凸部２１を設けて、凹部２２を形成しているが、後ろ身頃３全体を厚く形成し、胸椎８１の棘突起８１ａの位置だけを窪ませて凹部２２を形成することも可能である。しかしながら、このような構成の寝衣は、寝衣全体が大型化し、着たまま寝てしまうと寝苦しくなるおそれもあり、また、被介護者の背中全体が厚いもので覆われることになるので、拘束されたような状態となり着心地を害するおそれもあるので、本実施形態のように左右一対の凸部２１によって凹部２２を形成する構成が好ましい。
［第２実施形態］
【００４４】
次に、第２実施形態の褥創予防・保護用の寝衣１’を、図７、図８を用いて説明する。図７は第１実施形態の寝衣１における図１、図２に対応する。第２実施形態の寝衣１’においては、第１実施形態の寝衣と構成が同一の部分については同一の参照符号を付与してその詳細な説明は省略し、構成が異なる同一名の部分については参照符号に添え字「’」を付す。第２実施形態の寝衣１’と第１実施形態の寝衣１の主な相違点は前見頃３、３’である。
【００４５】
第１実施形態の前見頃３は左右２つに分離していたが、第２実施形態の前見頃３’は一体であり、下方前部を結合する紐６２が無い。そして、前見頃３’には頭が通る空部３３’が設けられており、寝衣１’はポンチョのような形状を成している。このように、第２実施形態の寝衣１’は前部を結合する必要がないので、起き上がることができる被看護人にとって着衣が容易に素早くできる。第１実施形態の前見頃３と同様に、第２実施形態の前見頃３’の肩部３１’には和綿５が入って、胸部３２’ には和綿５が入っていない。
【００４６】
尚、上述の実施形態は凸部２１の材質として和綿５を用いたが、本発明はこれに限定するものではなく、化学繊維やポリウレタンのような弾性体を用いることもできる。また、凸部２１の和綿５は他の部位の和綿５と異なる材質を使用して弾性率を高くしてもよい。
【符号の説明】
【００４７】
１：寝衣
２：後ろ見頃
２１：凸部
２２：凹部
２３：端部
３：前見頃
３１：肩部
５：和綿
６１：下方側部の紐
６２：下方前部の紐
６３：脇位置の下部の紐
７：ステッチ
８１：胸椎
８１ａ：棘突起
９：筋肉
【図１】
0006603099.tif 000002
【図２】
0006603099.tif 000003
【図３】
0006603099.tif 000004
【図４】
0006603099.tif 000005
【図５】
0006603099.tif 000006
【図６】
0006603099.tif 000007
【図７】
0006603099.tif 000008
【図８】
0006603099.tif 000009